(57)【要約】【課題】  上側本体が下側本体に対して一定の角度範囲内で開いている場合にのみ上側本体の自体回転ができるようにした移動通信端末機を提供する。【解決手段】  下側本体と上側本体とがヒンジ結合部によって結合している折畳型移動通信端末機のヒンジ結合部が、第１中空円筒と、第２中空円筒とから構成されるヒンジボディと、第１中空円筒の内部空間に位置し、下側本体のケースに固着されるダミヒンジシャフトと、第２中空円筒内に位置し、端部が上側本体のケースに固着され、ダミヒンジシャフトと所定の角度範囲内にある時にのみ回転できるように結合する回転シャフトとを備え、上側本体が下側本体に対して所定の角度範囲だけ開いている場合にのみ上側本体が第２方向に回転できるようにする。【選択図】図３
2005069485.tif 000002
【特許請求の範囲】
【請求項１】
下側本体と上側本体とがヒンジ結合部によって結合している折畳型移動通信端末機において、
前記ヒンジ結合部が、
前記下側本体のケースのヒンジアームに設置された第１ヒンジ軸に第１方向に回転するように結合する第１中空円筒と、前記第１中空円筒の側面に第１ヒンジ軸と垂直な方向に結合して内部空間が互いに連通し、前記上側本体のケースが結合して第２方向に回転できるように回転軸の役割をする第２中空円筒とから構成されるヒンジボディと、
前記第１中空円筒の内部空間に位置し、前記下側本体のケースに固定されるダミヒンジシャフトと、
前記第２中空円筒内に位置し、端部が前記上側本体のケースに固着され、前記ダミヒンジシャフトと所定の角度範囲内にある時にのみ回転できるように結合する回転シャフトとを備え、
前記上側本体が前記下側本体に対して第１方向に所定の角度範囲だけ開いている場合にのみ、前記上側本体が第２方向に回転できることを特徴とする折畳型移動通信端末機。
【請求項２】
前記ダミヒンジシャフトと前記回転シャフトは、結合する部分が円柱状であり、相互結合するためにオーバーラップする結合空間を有し、
前記結合空間を前記ダミヒンジシャフトが占める場合には、前記回転シャフトが第１方向にのみダミヒンジシャフトの周囲を回転することができ、
前記結合空間を回転シャフトが占める場合には、前記回転シャフトが第２方向に回転することができることを特徴とする請求項１記載の折畳型移動通信端末機。
【請求項３】
前記結合空間に位置するダミヒンジシャフトには、前記回転シャフトの一部外径部分を収容する第１円形溝が設けられ、
前記結合空間に位置する回転シャフトには、前記ダミヒンジシャフトの一部外径部分を収容する第２円形溝が設けられ、
前記回転シャフトの第２円形溝に前記ダミヒンジシャフトが収容されると、前記回転シャフトが第１方向に回転することができ、前記回転シャフトが前記ダミヒンジシャフトの第１円形溝に収容されると、前記回転シャフトが第２方向に回転することができることを特徴とする請求項２記載の折畳型移動通信端末機。
【請求項４】
前記回転シャフトの第１円形溝が軸に対して対称となる位置に２個設けられるため、
前記回転シャフトが、前記ダミヒンジシャフトの周囲を回転することが可能な２つの位置を有することを特徴とする請求項３記載の折畳型移動通信端末機。
【請求項５】
前記上側本体が前記下側本体に対して９０°程度開いた状態になるとき、前記回転シャフトが第２方向に回転できるようにする位置に前記第１及び第２円形溝がそれぞれ設けられることを特徴とする請求項３記載の折畳型移動通信端末機。
【請求項６】
前記ダミヒンジシャフトの端部が前記回転シャフトの外周縁に近接して設置され、
前記ダミヒンジシャフトの端部に切欠溝が設けられ、
前記回転シャフトには、前記切欠溝を通りうる突出部が設けられるため、
前記回転シャフトの突出部が前記ダミヒンジシャフトの切欠溝を通りうる位置では、前記回転シャフトが第２方向に回転することができ、
前記回転シャフトの突出部が前記ダミヒンジシャフトの切欠溝を通り得ない位置では、前記回転シャフトが第１方向にのみ回転することができることを特徴とする請求項１記載の折畳型移動通信端末機。
【請求項７】
前記回転シャフトと前記ダミヒンジシャフトには、回転時にＦＰＣを巻いたり巻き戻したりするＦＰＣリール部分が設けられていることを特徴とする請求項１〜６のいずれか１項に記載の折畳型移動通信端末機。
【発明の詳細な説明】
【技術分野】
【０００１】
本発明は、２軸回転ヒンジによって上側本体と下側本体が結合した折畳型移動通信端末機に係り、特に、上側本体が下側本体に対して一定の角度範囲で開いた状態でのみ上側本体が横に回転できるようにした移動通信端末機に関する。
【背景技術】
【０００２】
従来、ヒンジに関する構成は、２００２年７月１０日付で公開された特許文献１と２００１年１２月２９日付で公告された特許文献２に開示されたことがある。
【０００３】
文献１には、下側本体のケースと上側本体のケースからなる外観を形成する携帯電話において、前記下側本体のケースに回転自在に軸支されたヒンジボディと、前記ヒンジボディに設けられたヒンジ軸と、前記ヒンジ軸が結合する上側本体のケースのヒンジ孔と、前記ヒンジ軸とヒンジ孔との間に結合し、前記下側本体のケースの回転時に急激な回転を防止するクリックスプリングと、前記ヒンジ孔の上側本体のケースの周囲に円弧状に設けられ、案内及び回転角を設定する案内溝と、前記上側本体のケースの回転を感知する回転感知スイッチと、前記上側本体のケースの一面に設置され、携帯電話の内側または外側に選択的に露出する表示窓とから構成されたヒンジ構造が開示されている。
【０００４】
特許文献２には、本体とカバーを含む移動通信端末機において、前記カバーのヒンジ部に回転不可に挿入されるハウジングと、このハウジング内に、回転不可であるが軸方向移動が可能な状態で挿入され、一端面がカバーの開閉に対応する凸凹状のカム面から構成されるスライドカムと、前記スライドカムに回転及びスライド可能に貫通するとともに、一端が前記本体のヒンジ部に回転不可に固定されるシャフトと、前記シャフトの軸上にその両端が突出するように挿入され、この突出部位にスライドカムの凸凹状のカム面が摺動する摺動ピンと、前記ハウジング内のシャフト上に、前記スライドカムを前記摺動ピン側へ付勢するように設置される加圧スプリングとを含む移動通信端末機のカバーヒンジ装置が開示されている。
【０００５】
一般に、２軸回転電池を備えた折畳型移動通信端末機は、図１に示すように、上側本体１０と下側本体２０が２軸回転ヒンジで結合しているが、このヒンジは、上側本体と下側本体の開閉に使用される水平ヒンジ４０と、この水平ヒンジの回転軸に対して垂直な回転軸を有する垂直ヒンジ３０とからなっている。
【０００６】
上側本体１０は、水平ヒンジ４０を回転軸として、下側本体２０に対して開閉される方向に回動する。また、下側本体２０から上側本体１０が開放されながら、上側本体は垂直ヒンジ３０を回転軸として左右に回転できるように構成される。
【０００７】
ところが、上側本体１０が下側本体のキーパッドの平面に対してほぼ垂直な状態で開放された後左右に回転すると、別問題はない。しかし、上側本体１０がキーパッドの平面に対して垂直になっていない状態で左右に回転すると、上側本体の角部がキーパッドに衝突するか、或いは下側本体２０の上端に突出した露出型アンテナ５０と衝突する。これにより、露出型アンテナ５０が毀損したり、キーパッドのキースイッチが破損したりする問題点がある。
【特許文献１】韓国公開特許第２００２−５５８６１号明細書
【特許文献２】韓国実用新案登録第０２５８１７０号明細書
【発明の開示】
【発明が解決しようとする課題】
【０００８】
従って、本発明の目的は、上側本体の回動時、下側本体の一部分である露出型アンテナが上側本体に衝突して毀損したりキーパッドが損傷したりすることを防止することにある。
【０００９】
本発明の他の目的は、上側本体と下側本体とがヒンジで結合した端末機において、上側本体が下側本体に対して一定の角度範囲内で開いている場合にのみ上側本体の自体回転ができるようにした移動通信端末機を提供することにある。
【課題を解決するための手段】
【００１０】
上記目的を達成するために、本発明は、下側本体と上側本体とがヒンジ結合部によって結合している折畳型移動通信端末機のヒンジ結合部が、前記下側本体のケースに設置された第１ヒンジ軸を回転軸として第１方向に回転するように結合する第１中空円筒と、前記第１中空円筒の側面に第１ヒンジ軸と垂直に結合して内部空間が互いに連通し、前記上側本体のケースが第１ヒンジ軸に対して垂直な第２ヒンジ軸を回転軸として第２方向に回転できるように回転軸の役割をする第２中空円筒とから構成されるヒンジボディと、前記第１中空円筒の内部空間に位置し、前記下側本体のケースに固着されるダミヒンジシャフトと、前記第２中空円筒内に位置し、端部が前記上側本体のケースに固着され、前記ダミヒンジシャフトと所定の角度範囲内にある時にのみ回転できるように結合する回転シャフト（スイベルシャフト）とを備え、前記上側本体が前記下側本体に対して所定の角度範囲だけ開いている場合にのみ、前記上側本体が第２方向に回転できるようにする移動通信端末機を提供する。
【００１１】
本発明によれば、ダミヒンジシャフトと回転シャフトが、それぞれ円柱形で互いに結合するときにオーバーラップする結合空間を有し、この結合空間をダミヒンジシャフトが占める場合には、回転シャフトが第１方向にのみダミヒンジシャフトの周囲を回転することができ、この結合空間を回転シャフトが占める場合には、回転シャフトが第２方向に回転することができる。
【００１２】
本発明は、前記結合空間に位置する回転シャフトには、ダミヒンジシャフトの一部外径部分までを収容する第１円形溝が設けられ、結合空間に位置するダミヒンジシャフトには回転シャフトの一部外径部分までを収容する第２円形溝が設けられるため、回転シャフトの第１円形溝にダミヒンジシャフトが収容されると、回転シャフトが第１方向に回転することができ、回転シャフトがダミヒンジシャフトの第２円形溝に収容されると、回転シャフトが第２方向に回転することができる構成のヒンジ結合部を有する移動通信端末機を提供する。
【００１３】
特に、本発明は、回転シャフトの第１円形溝が軸に対して対称となる位置に２個設けられるため、回転シャフトが、ダミヒンジシャフトの周囲を回転することが可能な２つの位置を有するようにし、上側本体の前面と後面を選択して上側本体を下側本体に折り畳むことを可能にしたことが特徴である。また、上側本体が下側本体に対して９０°程度だけ開いた状態になるときのみ回転シャフトが第２方向に回転できるように設計することが良い。
【００１４】
本発明の他の実施例は、ダミヒンジシャフトの端部が回転シャフトの外周縁に近接して設置され、ダミヒンジシャフトの端部に切欠溝が設けられ、回転シャフトには切欠溝を通りうる突出部が設けられるため、回転シャフトの突出部がダミヒンジシャフトの切欠溝を通りうる位置では、回転シャフトが第２方向に回転することができ、回転シャフトの平面突出部がダミヒンジシャフトの切欠溝を通り得ない位置では、回転シャフトが第１方向にのみ回転することができる、折畳型移動通信端末機を提供する。
【００１５】
また、本発明は、回転シャフトとダミヒンジシャフトには、回転時にＦＰＣを巻いたり巻き戻したりするＦＰＣリール部分が設けられている。
【００１６】
本発明による、下側本体と上側本体とがヒンジ結合部によって結合している折畳型移動通信端末機は、前記ヒンジ結合部が、前記下側本体のケースのヒンジアームに設置された第１ヒンジ軸に第１方向に回転するように結合する第１中空円筒と、前記第１中空円筒の側面に第１ヒンジ軸と垂直な方向に結合して内部空間が互いに連通し、前記上側本体のケースが結合して第２方向に回転できるように回転軸の役割をする第２中空円筒とから構成されるヒンジボディと、前記第１中空円筒の内部空間に位置し、前記下側本体のケースに固定されるダミヒンジシャフトと、前記第２中空円筒内に位置し、端部が前記上側本体のケースに固着され、前記ダミヒンジシャフトと所定の角度範囲内にある時にのみ回転できるように結合する回転シャフトとを備え、前記上側本体が前記下側本体に対して第１方向に所定の角度範囲だけ開いている場合にのみ、前記上側本体が第２方向に回転できることを特徴とし、それにより上記目的が達成される。
【００１７】
前記ダミヒンジシャフトと前記回転シャフトは、結合する部分が円柱状であり、相互結合するためにオーバーラップする結合空間を有し、前記結合空間を前記ダミヒンジシャフトが占める場合には、前記回転シャフトが第１方向にのみダミヒンジシャフトの周囲を回転することができ、前記結合空間を回転シャフトが占める場合には、前記回転シャフトが第２方向に回転することができることを特徴としてもよい。
【００１８】
前記結合空間に位置するダミヒンジシャフトには、前記回転シャフトの一部外径部分を収容する第１円形溝が設けられ、前記結合空間に位置する回転シャフトには、前記ダミヒンジシャフトの一部外径部分を収容する第２円形溝が設けられ、前記回転シャフトの第２円形溝に前記ダミヒンジシャフトが収容されると、前記回転シャフトが第１方向に回転することができ、前記回転シャフトが前記ダミヒンジシャフトの第１円形溝に収容されると、前記回転シャフトが第２方向に回転することができることを特徴としてもよい。
【００１９】
前記回転シャフトの第１円形溝が軸に対して対称となる位置に２個設けられるため、前記回転シャフトが、前記ダミヒンジシャフトの周囲を回転することが可能な２つの位置を有することを特徴としてもよい。
【００２０】
前記上側本体が前記下側本体に対して９０°程度開いた状態になるとき、前記回転シャフトが第２方向に回転できるようにする位置に前記第１及び第２円形溝がそれぞれ設けられることを特徴としてもよい。
【００２１】
前記ダミヒンジシャフトの端部が前記回転シャフトの外周縁に近接して設置され、前記ダミヒンジシャフトの端部に切欠溝が設けられ、前記回転シャフトには、前記切欠溝を通りうる突出部が設けられるため、前記回転シャフトの突出部が前記ダミヒンジシャフトの切欠溝を通りうる位置では、前記回転シャフトが第２方向に回転することができ、前記回転シャフトの突出部が前記ダミヒンジシャフトの切欠溝を通り得ない位置では、前記回転シャフトが第１方向にのみ回転することができることを特徴としてもよい。
【００２２】
前記回転シャフトと前記ダミヒンジシャフトには、回転時にＦＰＣを巻いたり巻き戻したりするＦＰＣリール部分が設けられていることを特徴としてもよい。
【発明の効果】
【００２３】
本発明は、上側本体が９０°程度開放された状態でのみ前・後面の反転のための回動が可能なので、従来のように上側本体の前・後面の反転回動時に下側本体の上端一側に突設された露出型アンテナが破損したりキーパッドのキーが破損したりするなどの問題が解決される。また、ＦＰＣがシャフトに巻かれているので、多くの動作による破損を防止することができる。
【発明を実施するための最良の形態】
【００２４】
以下、本発明の実施例を添付図面に基づいて具体的に説明する。
【００２５】
本発明の一実施例に係る折畳型移動通信端末機は、図２に示すように、上側本体、下側本体、及び上側本体を下側本体に対して開閉及び回動できるように下側本体と上側本体を結合させるヒンジ結合“Ｈ”を含んでなる。下側本体の上端一側の後面部には、一定の高さに突出した露出型アンテナ１５０が設置されている。
【００２６】
ヒンジ結合部“Ｈ”は、図３に示すように、２つのサイドヒンジアーム１４０とヒンジボディ１３０とヒンジ装置１６０を持っている。
【００２７】
２つのサイドヒンジアーム１４０は、下側本体１２０のケース上端に左右に一定の間隔をおいて突設され、それぞれ対向する一側面にヒンジ溝１４１が設けられる。
【００２８】
ヒンジボディ１３０は、２つのサイドヒンジアーム１４０に設けられたヒンジ溝に挿入されたヒンジ軸１６３、１６４（第１ヒンジ軸）を回転軸として、下側本体に対して開閉される方向（第１方向）に回転するように結合する第１中空円筒１３４と、第１中空円筒の側面に第１ヒンジ軸と垂直に結合して内部空間が互いに連通し、上側本体のケースが第１ヒンジ軸に対して垂直な第２ヒンジ軸を回転軸として第２方向に回転できるように回転軸の役割をする第２中空円筒１３２とから構成される。
【００２９】
ヒンジ装置１６０は、ヒンジボディ１３０の一側内径部とそれに対応するサイドヒンジアーム１４０のヒンジ溝１４１に両端に挿設され、上側本体１１０を一定の角度で弾性力によって開閉動作する。ここで、ヒンジ装置１６０は、従来の技術で説明したような公知の技術と同様である。
【００３０】
本発明に係るヒンジ装置は、図３の断面図に示すように、第１中空円筒１３４と第２中空円筒が一体に設けられてなるヒンジボディ１３０を有する。
【００３１】
このヒンジボディ１３０は、下側本体のケースに設けられたサイドヒンジアーム１４０の第１ヒンジ軸１６３、１６４に結合し、上側本体が下側本体に対して開閉される方向の第１方向に回転する第１中空円筒と、第１中空円筒１３４の側面に第１ヒンジ軸に対して垂直に結合し、第１中空円筒の内部空間と連通する内部空間を有する第２中空円筒とが一体に設けられてなるものである。
【００３２】
第２中空円筒１３２には上側本体１１０のケースが結合し、第１ヒンジ軸に対して垂直な第２ヒンジ軸を回転軸として第２方向に回転できるようになっている。すなわち、第２中空円筒は上側本体を回転させるための回転軸の役割を果たす。
【００３３】
第１中空円筒１３４の内部空間には、下側本体のケースに設けられたサイドヒンジアーム１４０に固着されるダミヒンジシャフト３００が固定設置される。
【００３４】
第２中空円筒の内部空間には、上側本体と一体になるように結合した回転シャフト２００（スイベルシャフト）が設置される。この回転シャフト２００は、その一端部が上側本体１１０のケースに固定され、他端部がダミヒンジシャフト３００の端部と結合するが、上側本体が下側本体に対して第１方向に所定の角度範囲内で開いている場合にのみ、上側本体が第２方向に左右に回転できるように結合する。
【００３５】
この際、ダミヒンジシャフトと回転シャフトとの結合は、図３〜図１１に示すようになされる。すなわち、ダミヒンジシャフトと回転シャフトは、それぞれ円柱状を有し、結合時にオーバーラップする結合空間を有し、この結合空間をダミヒンジシャフト３００が占める場合には、回転シャフト２００が第１方向にのみダミヒンジシャフト３００を軸として回転することができ、この結合空間を回転シャフト２００が占める場合には、回転シャフトが第２方向に回転することができる。このオーバーラップする空間をいずれか一つのシャフト部分のみが占めることができる。
【００３６】
図４、図６、図８及び図９に示すように、この結合空間を空けるシャフトには、他のシャフトが回転できるように円形溝が設けられる。すなわち、ダミヒンジシャフト３００には回転シャフトの外径部分までを収容する第１円形溝３１０が設けられ、回転シャフト２００にはダミヒンジシャフト３００の外径部分までを収容する第２円形溝２１０または２２０が設けられる。
【００３７】
したがって、回転シャフト２００の第２円形溝２１０、２２０にダミヒンジシャフトが収容されると、回転シャフトがダミヒンジシャフトを軸として第１方向に回転することができ、回転シャフトがダミヒンジシャフトの第１円形溝３１０に収容されると、回転シャフトが自ら回転軸になって第２方向に回転することができる。
【００３８】
回転シャフトには、図４に示すように、第２円形溝が軸に対して対称となる位置に２個２１０、２２０設けられている。図４では、回転シャフトが上側本体に固着されるための例を示している。ここでは、上側本体のケース結合部１１１に固定溝２４０とねじ溝２５０が設けられ、固定ねじ４００で結合することを例として示している。ところが、これとは異なる結合手段で結合することもできる。
【００３９】
２つのシャフトが結合するときにオーバーラップする部分は、第１円形溝と第２円形溝になるが、ダミヒンジシャフトの３１０が指す部分と回転シャフトの２１０または２２０が指す部分とがオーバーラップする結合空間になる。したがって、この結合空間には、いずれか一つのシャフト部分のみが占め得るように２つのシャフトが密着して結合する。
【００４０】
オーバーラップする結合空間が設けられる位置は、上側本体が下側本体に対して９０°程度開いた状態になるとき、回転シャフトが第２方向に回転できるようにする位置に第１及び第２円形溝がくるように、シャフトの位置を決定する。すなわち、上側本体１１０が下側本体１２０から開閉回動すると同時に所定の開放角でのみ上側本体１１０が反転回転し、前・後面の位置が変更できるように相互直交状態でヒンジボディ１３０の内部空間に垂直に軸設される。回転シャフト２００は、２つの円形溝が設けられるので、ダミヒンジシャフト３００の直径より大きく形成することが好ましい。図示の直径は実際の大きさと比例するものではない。
【００４１】
次に、このように構成された本実施例の動作を図５〜図１１に基づいて詳細に説明する。
【００４２】
回転シャフト２００とダミヒンジシャフト３００は、図３に示すように、ヒンジ結合部“Ｈ”を形成するヒンジボディ１３０の内部空間に回転シャフト２００とダミヒンジシャフト３００が相互直交状態で軸設されている。
【００４３】
このように直交状態で結合した回転シャフト２００とダミヒンジシャフト３００は、相互回転角の位置に応じて上側本体の開閉回動及び反転回動が可能あるいは不可能になる。
【００４４】
図５、図６に示すように、下側本体１２０に上側本体１１０が密接した状態、すなわち上側本体１１０を折り畳んだ状態では、回転シャフト２００の第２円形溝２１０にダミヒンジシャフト３００の外径部分が貫通した状態で回転シャフト２００とダミヒンジシャフト３００とが直交する。この際、ダミヒンジシャフトの第１円形溝３１０は、回転シャフトの第１円形溝２１０と約９０°程度の位相差を有する位置にある。
【００４５】
このような状態で図７に示すように上側本体１１０を下側本体１２０から矢印「Ａ」のように垂直方向に９０°程度回動させると、図８に示すように、回転シャフト２００の第２円形溝２１０がダミヒンジシャフト３００の第１円形溝３１０とほぼ同一の位置にくる。このような位置にくると、上側本体１１０を矢印「Ｂ」のように水平方向に反転回動させることができる。上側本体１１０を１８０°回動させると、図９に示すように、上側本体１１０の前・後面が反転し且つ回転シャフト２００の他の円形溝２２０がダミヒンジシャフト３００の第１円形溝３１０と対向する。
【００４６】
そして、このように上側本体１１０の前・後面が反転した状態、すなわち回転シャフト２００の他の円形溝２２０がダミヒンジシャフト３００の第１円形溝３１０と対向した状態で上側本体１１０を矢印「Ａ」のように垂直方向にさらに回動させることにより、図１０に示すように、上側本体１１０を前・後面が反転した状態で下側本体１２０から完全開放（開放角：１６０°程度）することができる。
【００４７】
このように上側本体１１０が完全開放された状態で、図１１に示すように、回転シャフト２００の他の円形溝２２０には回転シャフト２００の外径が貫通した状態になり、この状態では上側本体１１０を図７の矢印「Ｂ」のように水平方向に回動させることができなくなる。
【００４８】
したがって、上側本体１１０は、前・後面を反転させるためには下側本体１２０から９０°程度開放された位置のみで反転回動が可能なので、上側本体の回転時に下側本体１２０の上端一側部に突設された露出型アンテナ１５０が回転を妨害しなくなり、キーパッドのような他の下側本体部分も接触しなくなる。
【００４９】
図１２、図１３、図１４は本発明の他の実施例を説明するための図である。
【００５０】
図１２に示すように、ダミヒンジシャフトと回転シャフトの端部の形がカム構造に変更されたことを除いては、前記の一実施例と同一である。
【００５１】
この実施例において、ダミヒンジシャフト３９０は、その端部が回転シャフト２９０の外周縁に近接して設置され、ダミヒンジシャフト３９０の端部に切欠溝３９２が設けられる。
【００５２】
回転シャフト２９０には、ダミヒンジシャフトの切欠溝３９２を通りうる突出部２９２、２９４が両側に同様に設けられる。
【００５３】
よって、回転シャフトの突出部２９４がダミヒンジシャフトの切欠溝３９２を通りうる位置では、回転シャフトが第２方向に回転することができる。
【００５４】
回転シャフオ２９０の突出部２９３、２９４がダミヒンジシャフトの切欠溝３９２を通り得ない位置、すなわち突出部がダミヒンジシャフトの端部にぶつかる位置では、回転シャフト２９０が第２方向には回転することができず、第１方向にのみ回転することができる。
【００５５】
本発明では、前記２つの実施例を説明したが、この他にも本発明の基本思想を用いて様々な実施例を構成することができる。
【００５６】
以上の実施例において、上側本体と下側本体の電子回路を互いに連結して信号の送受信を行うために用いられる電線束が図１４のＦＰＣ５００である。
【００５７】
このＦＰＣ(Flexibleprinted circuit)は、フレキシブルな薄いバンドの形からなる導線の束であって、回転シャフト２９０とダミヒンジシャフト３９０に巻かれているため、このシャフトが回転すると、ＦＰＣが巻かれたり巻き戻されたりしながら回転を多数回繰り返しても、導線が劣化または断線しないようになっている。ＦＰＣ５００の端部は、下側本体と上側本体の電子回路に連結される。シャフトに巻かれるＦＰＣの部分を図１２で５１０と５２０が示している。
【００５８】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００５９】
【図１】従来の２軸回転ヒンジを備えた折畳型移動通信端末機を示す斜視図である。
【図２】本発明に係る２軸回転ヒンジを備えた折畳型移動通信端末機の開放状態を示す斜視図である。
【図３】本発明に係る２軸回転ヒンジを備えた折畳型移動通信端末機のヒンジ結合部を示す断面図である。
【図４】本発明に係る回転シャフトとダミヒンジシャフトを示す斜視図である。
【図５】本発明に係る２軸回転ヒンジを備えた折畳型移動通信端末機の折り畳み状態を示す斜視図である。
【図６】図５の状態で回転シャフトとダミヒンジシャフトの直交状態を示す斜視図である。
【図７】本発明に係る２軸回転ヒンジを備えた折畳型移動通信端末機で上側本体を９０°開放した状態を示す一側面図である。
【図８】図７の状態で回転シャフトとダミヒンジシャフトとの直交状態を示す簡略図である。
【図９】図７において上側本体を矢印「Ｂ」のように反転回動させた状態で回転シャフトとダミヒンジシャフトとの直交状態を示す簡略図である。
【図１０】本発明に係る２軸回転ヒンジを備えた折畳型移動通信端末機で上側本体が反転して完全開放された状態を示す斜視図である。
【図１１】図１０の状態で回転シャフトとダミヒンジシャフトとの直交状態を示す簡略図である。
【図１２】本発明の他の実施例に係る２軸回転ヒンジを備えた折畳型移動通信端末機のヒンジ結合部を示す断面図である。
【図１３】図１２の回転シャフトの突出部とダミヒンジシャフトの切欠溝を説明するために双方を離隔させて示す斜視図である。
【図１４】ヒンジ部で電気信号を連結するために使用するＦＰＣを示す平面図である。
【符号の説明】
【００６０】
１１０    上側本体
１２０    下側本体
１３０    ヒンジボディ
１４０    サイドヒンジアーム
１５０    露出型アンテナ
１６０    ヒンジ装置
２００    回転シャフト
３００    ダミヒンジシャフト
【図１】
2005069485.tif 000003
【図２】
2005069485.tif 000004
【図３】
2005069485.tif 000005
【図４】
2005069485.tif 000006
【図５】
2005069485.tif 000007
【図６】
2005069485.tif 000008
【図７】
2005069485.tif 000009
【図８】
2005069485.tif 000010
【図９】
2005069485.tif 000011
【図１０】
2005069485.tif 000012
【図１１】
2005069485.tif 000013
【図１２】
2005069485.tif 000014
【図１３】
2005069485.tif 000015
【図１４】
2005069485.tif 000016